(57)【要約】【課題】  電子カルテ閲覧時にネットワーク接続を必要とせず、セキュリティを確保できる電子カルテシステムを提供する。【解決手段】  ユーザのカルテ情報を記憶するカルテ情報管理部３０と、カルテ情報管理部３０からカルテ情報を取得して記憶するユーザが所持する携帯端末１０とを備える電子カルテシステムにおいて、携帯端末１０は、カルテ情報管理部３０から取得したカルテ情報の閲覧処理をロックした状態でカルテ情報を保存し、振動センサー２１が一定時間以上の静止状態を検知することにより、カルテ情報のロックを解除するロック解除信号を携帯端末１０に送信するロック解除装置２０を備える。また、携帯端末１０内に保存されているカルテ情報を二次元コードに変換して表示手段１２４に表示する。【選択図】図１
2008203914.tif 000002
【特許請求の範囲】
【請求項１】
ユーザのカルテ情報を記憶する管理サーバと、前記管理サーバから前記カルテ情報を取得して記憶する前記ユーザが所持する携帯端末とを備える電子カルテシステムにおいて、
前記携帯端末は、前記管理サーバから取得した前記カルテ情報の閲覧処理をロックした状態で前記カルテ情報を保存し、
振動センサーが一定時間以上の静止状態を検知することにより、前記カルテ情報のロックを解除するロック解除信号を前記携帯端末に送信するロック解除装置を備えることを特徴とする電子カルテシステム。
【請求項２】
前記ロック解除装置は、振動センサーが所定以上の衝撃を検知することにより、前記ロック解除信号を前記携帯端末に送信することを特徴とする請求項１に記載の電子カルテシステム。
【請求項３】
ユーザのカルテ情報を記憶する管理サーバと、前記管理サーバから前記カルテ情報を取得して記憶する前記ユーザが所持する携帯端末とを備える電子カルテシステムにおいて、
前記携帯端末は、前記管理サーバから取得した前記カルテ情報の閲覧処理をロックした状態で前記カルテ情報を保存し、
振動センサーが所定以上の衝撃を検知することにより、前記カルテ情報のロックを解除するロック解除信号を前記携帯端末に送信するロック解除装置を備えることを特徴とする電子カルテシステム。
【請求項４】
前記携帯端末は、前記ロック解除信号を受信した際に前記保存したカルテ情報を表示することを特徴とする請求項１から請求項３のいずれか１項に記載の電子カルテシステム。
【請求項５】
前記携帯端末は、
前記保存したカルテ情報に基づいて特定情報を生成する特定情報生成手段を有し、
前記特定情報生成手段によって生成した前記特定情報を、前記ロック解除信号を受信した際に表示することを特徴とする請求項１から請求項４のいずれか１項に記載の電子カルテシステム。
【請求項６】
前記特定情報は、二次元コード情報であることを特徴とする請求項５に記載の電子カルテシステム。
【請求項７】
ユーザのカルテ情報を記憶する管理サーバと、前記管理サーバから前記カルテ情報を取得して記憶する前記ユーザが所持する携帯端末とを備える電子カルテシステムにおける電子カルテ閲覧方法であって、
前記携帯端末において、前記管理サーバから取得した前記カルテ情報の閲覧処理をロックした状態で前記カルテ情報を保存し、
ロック解除装置において、振動センサーが一定時間以上の静止状態を検知することにより、前記カルテ情報のロックを解除するロック解除信号を前記携帯端末に送信することを特徴とする電子カルテ閲覧方法。
【請求項８】
前記ロック解除装置において、振動センサーが所定以上の衝撃を検知することにより、前記ロック解除信号を前記携帯端末に送信することを特徴とする請求項７に記載の電子カルテ閲覧方法。
【請求項９】
ユーザのカルテ情報を記憶する管理サーバと、前記管理サーバから前記カルテ情報を取得して記憶する前記ユーザが所持する携帯端末とを備える電子カルテシステムにおける電子カルテ閲覧方法であって、
前記携帯端末において、前記管理サーバから取得した前記カルテ情報の閲覧処理をロックした状態で前記カルテ情報を保存し、
ロック解除装置において、振動センサーが所定以上の衝撃を検知することにより、前記カルテ情報のロックを解除するロック解除信号を前記携帯端末に送信することを特徴とする電子カルテ閲覧方法。
【請求項１０】
前記携帯端末において、前記ロック解除信号を受信した際に前記保存したカルテ情報を表示することを特徴とする請求項７から請求項９のいずれか１項に記載の電子カルテ閲覧方法。
【請求項１１】
前記携帯端末において、
前記保存したカルテ情報に基づいて特定情報を生成する特定情報生成ステップと、
前記特定情報生成ステップで生成した前記特定情報を、前記ロック解除信号を受信した際に表示するステップとを有することを特徴とする請求項７から請求項１０のいずれか１項に記載の電子カルテ閲覧方法。
【請求項１２】
ユーザのカルテ情報を記憶する管理サーバから前記カルテ情報を取得して記憶する前記ユーザが所持する携帯端末上で実現されるプログラムであって、
前記携帯端末に、
前記管理サーバから取得した前記カルテ情報の閲覧処理をロックした状態で前記カルテ情報を保存させる機能と、
振動センサーが一定時間以上の静止状態を検知することによりロック解除装置から送信されたロック解除信号によって、前記カルテ情報のロックを解除する機能とを実行させることを特徴とするプログラム。
【請求項１３】
前記携帯端末に、
振動センサーが所定以上の衝撃を検知することにより前記ロック解除装置から送信された前記ロック解除信号によって、前記カルテ情報のロックを解除する機能を実行させることを特徴とする請求項１２に記載のプログラム。
【請求項１４】
ユーザのカルテ情報を記憶する管理サーバから前記カルテ情報を取得して記憶する前記ユーザが所持する携帯端末上で実現されるプログラムであって、
前記携帯端末に、
前記管理サーバから取得した前記カルテ情報の閲覧処理をロックした状態で前記カルテ情報を保存させる機能と、
振動センサーが所定以上の衝撃を検知することによりロック解除装置から送信されたロック解除信号によって、前記カルテ情報のロックを解除する機能とを実行させることを特徴とするプログラム。
【請求項１５】
前記携帯端末に、
前記ロック解除信号を受信した際に前記保存したカルテ情報を表示する機能を実行させることを特徴とする請求項１２から請求項１４のいずれか１項に記載のプログラム。
【請求項１６】
前記携帯端末に、
前記保存したカルテ情報に基づいて特定情報を生成する特定情報生成機能と、
前記特定情報生成機能で生成した前記特定情報を、ロックが解除された際に表示する機能とを実行させることを特徴とする請求項１２から請求項１５のいずれか１項に記載のプログラム。
【発明の詳細な説明】
【技術分野】
【０００１】
本発明は、モバイルにおいて電子カルテを閲覧可能な電子カルテシステム、電子カルテ閲覧方法及びプログラムに関するものである。
【背景技術】
【０００２】
現在、カルテを電子カルテ化して閲覧可能とする電子カルテシステムの整備が進められているが、例えば、病院で用いられている電子カルテシステムは、基本的には院内ネットワーク内で医療関係者が利用することが多く、患者が電子カルテを閲覧できないことが多い。
【０００３】
これに対し、最近は患者が院外から電子カルテを閲覧することができる電子カルテシステム（非特許文献１）がある。これは、病院のカルテ情報（ＷＥＢページ）に携帯端末からアクセスすることによって、患者の携帯端末にカルテ情報の表示を行うものである。
【非特許文献１】http://www.e-moba.com/
【発明の開示】
【発明が解決しようとする課題】
【０００４】
しかし、上記非特許文献１を１例とするような従来技術は、電子カルテ閲覧時にネットワーク接続が必要であり、病院のカルテ情報（ＷＥＢページ）に携帯端末からアクセスすることによって患者の携帯端末にカルテ情報の表示を行うものであるため、通信を利用できない場面にはカルテ情報の表示が行えないという問題を有する。これに対し、表示したカルテ情報を、携帯端末の「画面メモ」等の機能を利用して携帯端末内に保存しておくということも考えられる。しかしながら、この場合、通信が利用できない場面でもカルテ情報の表示を行うことはできるが、カルテ情報の閲覧に対する制限がないため、カルテ情報閲覧時のセキュリティを確保できず、個人情報の流出につながるという問題を有する。
【０００５】
（発明の目的）
本発明の目的は、電子カルテ閲覧時にネットワーク接続を必要とせず、かつセキュリティを確保できる電子カルテシステム、電子カルテ閲覧方法及びプログラムを提供することである。
【課題を解決するための手段】
【０００６】
上記目的を達成するため本発明は、ユーザのカルテ情報を記憶する管理サーバと、前記管理サーバから前記カルテ情報を取得して記憶する前記ユーザが所持する携帯端末とを備える電子カルテシステムにおいて、前記携帯端末は、前記管理サーバから取得した前記カルテ情報の閲覧処理をロックした状態で前記カルテ情報を保存し、振動センサーが一定時間以上の静止状態を検知することにより、前記カルテ情報のロックを解除するロック解除信号を前記携帯端末に送信するロック解除装置を備えることを特徴とする。
【０００７】
（作用）
上記構成により本発明は、ロック解除信号が送信されるまで、カルテ情報の閲覧処理がロックされる。
【発明の効果】
【０００８】
以上説明した本発明によれば、携帯端末内にカルテ情報を保持するため、ネットワークを介さずに端末だけでカルテ情報を確認することができる。また、この場合、ロック解除装置からロック解除信号を受信している間だけ、カルテ情報の閲覧が可能となるので、例えば、ユーザが携帯端末をどこかに忘れた場合でも、カルテ情報の流出を防ぐことができる。
【０００９】
また、本発明では、ロック解除装置が、一定時間静止するか強い衝撃を検出した際にロック解除信号を出力するので、普段の使用時においてはロック解除装置を端末近くに置けば、交通事故など本人の意識が失われる恐れがある場合等、緊急時において、携帯端末のユーザ本人の意思とは関係なくカルテ情報の閲覧が可能となる。
【発明を実施するための最良の形態】
【００１０】
（第１の実施の形態）
本発明による第１の実施の形態を図面を用いて詳細に説明する。
【００１１】
（第１の実施の形態の構成）
図１は、本実施の形態によるモバイルカルテシステムの構成を示すブロック図である。
【００１２】
図１を参照すると、本実施の形態によるモバイルカルテシステムは、カルテ情報１００を保存・表示する機能を有する携帯端末１０と、携帯端末１０に対し近距離無線通信でロック解除信号を発信する機能を有するロック解除装置２０と、病院等に設置され、ユーザ識別情報（後述）に基づいて患者のカルテ情報１００を管理する機能を有するカルテ情報管理部３０と、携帯端末１０とカルテ情報管理部３０とを接続するインターネット等のネットワーク４０とを備える。
【００１３】
携帯端末１０は、ロック解除信号を受信する機能を有するロック解除信号受信部１１と、携帯端末１０内の各構成要素を制御する機能を有する制御部１２と、カルテ情報１００を表示部１５に表示させるカルテ情報表示アプリケーション１３１及びカルテ情報１００等を記憶する機能を有する記憶部１３と、ネットワーク４０との接続処理を行う機能を有する通信処理部１４と、カルテ情報１００等を表示する機能を有する表示部１５と、キーボタン等が設けられユーザからの操作入力を受け付ける機能を有する操作部１６とを備えている。
【００１４】
また、記憶部１３は、携帯端末１０が新しいカルテ情報１００を受信した場合、記憶しているカルテ情報１００を更新し、記憶している過去のカルテ情報１００を履歴情報１０２としてバックアップする機能を有する。
【００１５】
図２は、本実施の形態による制御部１２の詳細な構成を示すブロック図である。
【００１６】
図２を参照すると、制御部１２は、ロック解除装置２０からロック解除信号を受信したことをロック解除信号受信部１１から通知されているか否かを判定する判定手段１２１と、通知されていない場合において、カルテ情報１００及び履歴情報１０２を表示部１５に表示することを禁止したり、記憶部１３内のカルテ情報１００及び履歴情報１０２へのアクセスを禁止するなどして、カルテ情報１００及び履歴情報１０２を閲覧禁止にする閲覧禁止手段１２２と、通知された場合において、カルテ情報１００及び履歴情報１０２を表示部１５に表示可能にしたり、記憶部１３内のカルテ情報１００及び履歴情報１０２へのアクセスを許可するなどして、カルテ情報１００及び履歴情報１０２を閲覧可能にする閲覧許可手段１２３と、閲覧可能時にカルテ情報１００の表示が指示されることで、記憶部１３からカルテ情報１００や履歴情報１０２を読み出して暗号化を解除し、当該暗号化を解除したカルテ情報１００や履歴情報１０２を表示部１５に表示させる表示手段１２４とを有する。
【００１７】
また、ロック解除装置２０は、振動センサー２１と、ロック解除信号発信機２２とを備えている。ロック解除装置２０は、携帯端末１０の所有ユーザが身につけるもので、キーホルダー程度の大きさが望ましい。振動センサー２１は、所定時間静止を検知するか又は所定以上の衝撃が加わった際に制御信号を発行する機能を有し、ロック解除信号発信機２２は、振動センサー２１によって発行された制御信号を受信するとロック解除信号の発信を行う機能を有する。ロック解除信号発信機２２は、ロック解除信号の発信において、発信開始から例えば１０分間など、ロック解除信号を所定時間発信し続ける。
【００１８】
カルテ情報管理部３０は、カルテ情報管理サーバ３１と、管理サーバ３１に接続され、患者のカルテ情報１００及びユーザ識別情報１０１を格納する機能を有するカルテ情報記憶装置３２とを備える。
【００１９】
ユーザ識別情報１０１は、患者である携帯端末１０のユーザの氏名等の情報、並びに携帯端末１０の電話番号やメールアドレス等、ユーザやユーザの携帯端末１０を識別する情報を含む。
【００２０】
カルテ情報管理サーバ３１及びカルテ情報記憶装置３２は、既存のサーバ装置で実現できる。カルテ情報記憶装置３２は、カルテ情報１００と、当該カルテ情報１００をユーザ毎に管理するためのユーザ識別情報１０１とを格納している。
【００２１】
図３は、カルテ情報１００の例を示す図である。
【００２２】
図３を参照すると、カルテ情報１００は、カルテ情報の作成／更新日、病院情報（病院名や連絡先電話番号等）、疾病情報、投薬情報、アレルギー情報、通院履歴、処方箋情報、担当医師情報、その他特記事項等の情報を含んでいる。
【００２３】
また、上記説明したように、携帯端末１０は、新しいカルテ情報１００を受信すると、記憶しているカルテ情報１００が更新され、過去のカルテ情報１００が履歴情報１０２として記憶部１３にバックアップされるようになっている。このため、携帯端末１０において、履歴情報に基づいて、時間軸をベースに病院名など毎にカルテ情報を検索することができる。
【００２４】
ここで、携帯端末１０のハードウェア構成の説明をする。
【００２５】
図４は、本実施の形態によるモバイルカルテシステムの携帯端末１０のハードウェア構成例を示すブロック図である。
【００２６】
図４を参照すると、本発明による携帯端末１０は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）３０１（制御部１２）、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部３０２、ネットワーク４０を介してデータの送受信を行う通信制御部３０３（通信処理部１４）、液晶ディスプレイ、プリンタやスピーカ等の提示部３０４（表示部１５）、キーボードやマウス等の入力部３０５（操作部１６）、周辺機器と接続してデータの送受信を行うインタフェース部３０６（ロック解除信号受信部１１）、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部３０７（記憶部１３）、本情報処理装置の上記各構成要素を相互に接続するシステムバス３０８等を備えている。
【００２７】
本発明による携帯端末１０は、その動作を、携帯端末１０内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のＣＰＵ３０１で実行することにより、ソフトウェア的に実現することができる。
【００２８】
すなわち、ＣＰＵ３０１（制御部１２）は、補助記憶部３０７（記憶部１３）に格納されているプログラムを、主記憶部３０２にロードして実行し、携帯端末１０の動作を制御することにより、上述した各機能をソフトウェア的に実現する。
【００２９】
なお、ロック解除装置２０、カルテ情報管理サーバ３０若しくはカルテ情報記憶装置３１が上述のような構成を有し、上述した各機能をハードウェア的又はソフトウェア的に実現してもよい。また、携帯端末１０内の各構成要素のハードウェアは、既存の携帯端末或いは近距離無線通信関連の技術で実現できるため、より詳細な説明は省略する。
【００３０】
（第１の実施の形態の動作）
図５は、本実施の形態によるモバイルカルテシステムの動作を示すフローチャートである。
【００３１】
まず、携帯端末１０のユーザが通院した際などに、カルテ情報管理部３０が、ユーザ識別情報１０１と対応付けてカルテ情報１００を生成し、記憶する（ステップＳ１１）。
【００３２】
次に、カルテ情報管理部３０が、携帯端末１０に対して、カルテ情報１００を送信する（ステップＳ１２）。この送信は、カルテ情報１００を、携帯端末１０にて動作するカルテ情報表示アプリケーション１３１用のデータとして暗号化し、電子メールの添付ファイルや赤外線通信にて送信する。赤外線通信を用いる場合は、カルテ情報管理部３０と接続された赤外線通信出力を持つ窓口端末を介して送信を行う。
【００３３】
携帯端末１０は、カルテ情報管理部３０からカルテ情報１００を受信すると、受信したカルテ情報１００を記憶部１３に保存する（ステップＳ１３）。
【００３４】
カルテ情報１００が受信又は保存されると、制御部１２は、閲覧禁止手段１２２によってカルテ情報１００及び履歴情報１０２を閲覧禁止状態に設定する（ステップＳ１４）。すなわち、携帯端末１０の制御部１２は、カルテ情報１００及び履歴情報１０２を表示部１５に表示することを禁止したり、記憶部１３内のカルテ情報１００及び履歴情報１０２へのアクセスを禁止するなどして、カルテ情報１００及び履歴情報１０２を閲覧禁止にする処理を行う。この閲覧禁止の処理は、例えば、カルテ情報表示アプリケーション１３１を起動した際にロック解除信号を受信していない場合は、カルテ情報１００及び履歴情報１０２の閲覧処理を実行しないようにプログラムすることによって行われる。
【００３５】
携帯端末１０の判定手段１２１は、ロック解除装置２０からロック解除信号を受信したことをロック解除信号受信部１１から通知されているか否かを判定し（ステップＳ１５）、ロック解除信号の受信を通知されていないときは、閲覧禁止手段１２２がカルテ情報１００及び履歴情報１０２の閲覧禁止状態を継続する。
【００３６】
カルテ情報表示アプリケーション１３１を起動した際にロック解除信号を受信している場合、閲覧許可手段１２３は、カルテ情報１００や履歴情報１０２を閲覧可能状態に設定にする（ステップＳ１６）。
【００３７】
そして、カルテ情報表示アプリケーション１３１上でカルテ情報１００の表示の実行が指示されることで、制御部１２は、記憶部１３からカルテ情報１００や履歴情報１０２を読み出して暗号化を解除し、当該暗号化を解除したカルテ情報１００や履歴情報１０２を表示手段１２４によって表示部１５に表示する（ステップＳ１７）。
【００３８】
（第１の実施の形態の効果）
以上説明した本実施の形態によれば、携帯端末１０内にカルテ情報を保持するため、ネットワーク４０を介さずに携帯端末１０だけでカルテ情報１００や履歴情報１０２を表示することができる。
【００３９】
また、本実施の形態によれば、ロック解除装置２０からロック解除信号を受信している間だけカルテ情報１００や履歴情報１０２が閲覧可能状態に設定されるので、例えば、携帯端末１０のユーザが携帯端末１０をどこかに忘れた場合、ロック解除装置２０が携帯端末１０とは通信できない位置に存在することになり、携帯端末１０がロック解除信号を受信できないため、携帯端末１０のユーザのカルテ情報１００や履歴情報１０２の流出を防ぐことができる。
【００４０】
また、本実施の形態によれば、ロック解除装置２０が、一定時間静止するか強い衝撃を検出した際にのみロック解除信号を出力する。従って、携帯端末１０の普段の使用時にロック解除装置２０を携帯端末１０と通信可能な位置に置くことによって、交通事故など強い衝撃を受ける場合や急病による場合等において携帯端末１０のユーザの意識が失われてユーザが一定時間静止する場合等の緊急時に、ユーザ本人の意思とは関係なくユーザ以外の者がカルテ情報１００や履歴情報１０２を閲覧できるため、当該ユーザの治療等を迅速に行うことができる。
【００４１】
（第２の実施の形態）
本発明による第２の実施の形態を図面を用いて詳細に説明する。
【００４２】
（第２の実施の形態の構成）
図６は、本実施の形態によるモバイルカルテシステムの構成を示すブロック図である。
【００４３】
本実施の形態によるモバイルカルテシステムは、携帯端末１０で生成されたバーコード情報を読み取る機能を有するバーコードリーダ５０を新たに備え、また、携帯端末１０が、バーコード情報生成部１７を有する点で第１の実施の形態によるモバイルカルテシステムと相違する。
【００４４】
バーコード情報生成部１７は、表示部１５に表示中の又は記憶部１３内のカルテ情報１００及び履歴情報１０２に基づいて、バーコードリーダ５０が読み取り可能なバーコード情報を生成し、生成したバーコード情報を表示部１５に表示させる機能を有する。なお、バーコード情報は、記憶部１３内のカルテ情報１００及び履歴情報１０２に基づいて生成される情報の一例であり、バーコード情報生成部１７によって生成される情報は、バーコードの他、ＱＲ（Ｑｕｉｃｋ  Ｒｅｓｐｏｎｓｅ）コード等の二次元コード情報でもよく、また、バーコードリーダ５０に相当するリーダによって読み取り可能であれば、二次元コード情報に制限されない。ただし、バーコードやＱＲ（Ｑｕｉｃｋ  Ｒｅｓｐｏｎｓｅ）コード等の二次元コード情報を生成するのであれば、日本語で約１８００字程度の情報を一つのバーコードで表現できるＱＲコードを生成することが好ましい。また、バーコード情報生成部１７によって生成されたバーコード情報は、表示部１５に表示されることなく、通信処理部１４やインタフェース部３０６によってバーコードリーダ５０に通知されてもよい。
【００４５】
なお、本実施の形態によるモバイルカルテシステムのその他の構成要素は第１の実施の形態と同様であるため説明を省略する。
【００４６】
（第２の実施の形態の動作）
図７は、本実施の形態によるモバイルカルテシステムの動作を示すフローチャートである。
【００４７】
図７を参照すると、ステップＳ２１〜ステップＳ２７までは第１の実施の形態のステップＳ１１〜ステップＳ１７と同様であるため説明を省略する（図５参照）。
【００４８】
ステップＳ２８において、バーコード情報生成部１７は、表示部１５に表示中又は記憶部１３内のカルテ情報１００及び履歴情報１０２に基づいて、バーコードリーダ５０が読み取り可能なバーコード情報（二次元コード情報）を生成する。この場合、バーコード情報の生成が指示されると、バーコード情報生成部１７は、カルテ情報表示アプリケーション１３１によって、例えば、表示部１５に表示中のカルテ情報１００を示す二次元コード情報を生成する。
【００４９】
表示手段１２４は、ステップＳ１８において生成した二次元コード情報をカルテ情報表示アプリケーション１３１によって表示部１５に表示する（ステップＳ２９）。
【００５０】
バーコードリーダ５０は、表示部１５に表示された二次元コード情報を読み取る（ステップＳ３０）。
【００５１】
本実施の形態によるモバイルカルテシステムは、このようにして携帯端末１０の表示部１５に表示させた二次元コード情報を、例えば、薬局の端末に接続されたバーコードリーダ５０で読み取ることによってカルテ情報１００の転送を行う。
【００５２】
なお、本実施の形態によるモバイルカルテシステムは、薬局の端末への処方箋情報の提供だけでなく、緊急時に救急車の車載設備に対して携帯端末１０からカルテ情報１００や履歴情報１０２を提供し（ステップＳ３０）、当該車載設備が、提供されたカルテ情報１００や履歴情報１０２を病院の端末に転送するようにしてもよい。
【００５３】
この場合、各医療関係の端末にバーコード情報のリーダ機能を搭載することで、ネットワーク４０を介さずに、カルテ情報１００や履歴情報１０２の転送が可能となる。
【００５４】
（第２の実施の形態の効果）
本実施の形態によれば、セキュリティを確保したまま携帯端末１０のユーザのカルテ情報１００や履歴情報１０２を転送できる。
【００５５】
その理由は、携帯端末１０が、携帯端末１０内に保存されたカルテ情報１００や履歴情報１０２を二次元コードで表示する機能を有するため、カルテ情報１００や履歴情報１０２を用いる機器に対して、ネットワーク４０を介さずに、バーコードリーダ５０を介してカルテ情報１００や履歴情報１０２を転送できるからである。
【００５６】
また、本実施の形態によれば、例えば、携帯端末１０が携帯端末１０内のカルテ情報１００や履歴情報１０２に含まれる処方箋情報を図示省略した薬局の端末に対してバーコードによって提供することによって、携帯端末１０のユーザがネットワーク４０を介さずに薬局で薬を簡易迅速に受け取ることができる。
【００５７】
（第３の実施の形態）
本発明による第３の実施の形態を図面を用いて詳細に説明する。
【００５８】
（第３の実施の形態の構成）
図８は、本実施の形態によるモバイルカルテシステムの構成を示すブロック図である。
【００５９】
本実施の形態によるモバイルカルテシステムは、携帯端末１０が、ロック解除部１８を備え、携帯端末１０の記憶部１３が、予めユーザに指定されたパスワード１３２を記憶する機能を有する点で第１の実施の形態によるモバイルカルテシステムと相違する。
【００６０】
ロック解除部１８は、操作部１６を介して入力されたパスワードが、記憶部１３に記憶されたパスワード１３２と一致するか否かを判定し、一致した場合に制御部１２に対し、カルテ情報１００や履歴情報１０２の閲覧禁止状態を解除して閲覧可能状態とするように要求する機能を有する。
【００６１】
制御部１２は、ロック解除部１８からのカルテ情報１００や履歴情報１０２の閲覧許可要求に基づいて、閲覧禁止手段１２２によるカルテ情報１００や履歴情報１０２の閲覧禁止処理を停止し、閲覧許可手段１２３によってカルテ情報１００及び履歴情報１０２の閲覧を可能にする機能を有する。
【００６２】
なお、本実施の形態によるモバイルカルテシステムのその他の構成要素は第１の実施の形態と同様であるため説明を省略する。
【００６３】
（第３の実施の形態の動作）
本実施の形態は、初期設定として、携帯端末１０の記憶部１３が予めユーザに指定されたパスワード１３２を記憶している。
【００６４】
図９は、本実施の形態によるモバイルカルテシステムの動作を示すフローチャートである。
【００６５】
図９を参照すると、ステップＳ４１〜ステップＳ４４までは第１の実施の形態のステップＳ１１〜ステップＳ１４と同様であるため説明を省略する（図５参照）。
【００６６】
ステップＳ４５において、操作部１６を介して入力されたパスワードがロック解除部１８に対して通知される。
【００６７】
ロック解除部１８は、通知されたパスワードが、記憶部１３に記憶されたパスワード１３２と一致するか否かを判定し（ステップＳ４６）、一致しないときは、閲覧禁止手段１２２がカルテ情報１００及び履歴情報１０２の閲覧禁止状態を継続する。
【００６８】
一方、ステップＳ４６において一致した場合、制御部１２は、ロック解除部１８からのカルテ情報１００や履歴情報１０２の閲覧許可要求に基づいて、閲覧禁止手段１２２によるカルテ情報１００や履歴情報１０２の閲覧禁止処理を停止し、閲覧許可手段１２３によって、カルテ情報１００及び履歴情報１０２を閲覧可能状態に設定する（ステップＳ４７）。
【００６９】
そして、カルテ情報表示アプリケーション１３１上でカルテ情報１００や履歴情報１０２の表示の実行が指示されることで、制御部１２は、記憶部１３からカルテ情報１００や履歴情報１０２を読み出して暗号化を解除し、当該暗号化を解除したカルテ情報１００や履歴情報１０２を表示手段１２４によって表示部１５に表示する（ステップＳ４８）。
【００７０】
（第３の実施の形態の効果）
本実施の形態によれば、ロック解除装置２０がない場合又はロック解除装置２０が携帯端末１０とは通信できない位置に存在する場合においても、カルテ情報１００や履歴情報１０２を閲覧することができる。
【００７１】
その理由は、携帯端末１０の記憶部１３が予めユーザに指定されたパスワード１３２を記憶し、入力されたパスワードがパスワード１３２と一致した場合、閲覧許可手段１２３によってカルテ情報１００や履歴情報１０２の閲覧許可処理が行われるからである。
【００７２】
以上好ましい実施の形態をあげて本発明を説明したが、本発明は必ずしも、上記実施の形態に限定されるものでなく、その技術的思想の範囲内において様々に変形して実施することができる。
【００７３】
例えば、本発明によるモバイルカルテシステムは、バーコードリーダ５０やネットワーク４０を介さずに、近距離無線通信によってカルテ情報１００や履歴情報１０２を、例えば、薬局の端末や救急車の車載設備に対して転送してもよい。
【図面の簡単な説明】
【００７４】
【図１】本発明の第１の実施の形態によるモバイルカルテシステムの構成を示すブロック図である。
【図２】第１の実施の形態による制御部１２の詳細な構成を示すブロック図である。
【図３】第１の実施の形態によるカルテ情報１００の例を示す図である。
【図４】第１の実施の形態によるモバイルカルテシステムの携帯端末１０のハードウェア構成例を示すブロック図である。
【図５】第１の実施の形態によるモバイルカルテシステムの動作を示すフローチャートである。
【図６】本発明の第２の実施の形態によるモバイルカルテシステムの構成を示すブロック図である。
【図７】第２の実施の形態によるモバイルカルテシステムの動作を示すフローチャートである。
【図８】本発明の第３の実施の形態によるモバイルカルテシステムの構成を示すブロック図である。
【図９】第３の実施の形態によるモバイルカルテシステムの動作を示すフローチャートである。
【符号の説明】
【００７５】
１０：携帯端末
１１：ロック解除信号受信部
１２：制御部
１２１：判定手段
１２２：閲覧禁止手段
１２３：  閲覧許可手段
１２４：表示手段
１３：記憶部
１３１：カルテ情報表示アプリケーション
１４：通信処理部
１５：表示部
１６：操作部
１７：バーコード情報生成部
１８：ロック解除部
２０：ロック解除装置
２１：振動センサー
２２：ロック解除信号発信機
３０：カルテ情報管理部
３１：カルテ情報管理サーバ
３２：カルテ情報記憶装置
１００：カルテ情報
１０１：ユーザ識別情報
１０２：履歴情報
４０：ネットワーク
３０１：ＣＰＵ
３０２：主記憶部
３０３：通信制御部
３０４：提示部
３０５：入力部
３０６：インタフェース部
３０７：補助記憶部
３０８：システムバス
【図１】
2008203914.tif 000003
【図２】
2008203914.tif 000004
【図３】
2008203914.tif 000005
【図４】
2008203914.tif 000006
【図５】
2008203914.tif 000007
【図６】
2008203914.tif 000008
【図７】
2008203914.tif 000009
【図８】
2008203914.tif 000010
【図９】
2008203914.tif 000011